(57)【要約】      （修正有）【課題】農薬散布のための使用感の快適な防護装置を提供する。【解決手段】マスク１２と電動ファン２６とがホース２４により接続され、電動ファンは加圧した空気をホースに送り込む。フィルターが電動ファン下側の空気取入口とホース内部に設けられ、外気を濾過し殺菌を行ってマスクの内部に清浄な空気を送り込む。逆止弁３２は息を吸い込んだ時に外気がマスクの中に逆流するのを防止する。フェースシールド１４は目を保護し、交換できる。電動ファンは電池３０から電力を供給される。フェースシールドは密閉していないため熱がこもることがない。【選択図】図１
0003227751.tif 000002
【実用新案登録請求の範囲】
【請求項１】
顔を覆うための装備が上下のパーツに分割されており、
下側のパーツは鼻と口を覆うマスクで、
上側のパーツは目を中心に顔の上部全体を覆うフェースシールド１４で、
マスクには加圧した空気をフィルターで濾過してマスク内に送り込む電動ファンが連結されており、
マスクのマスク上面には加圧された空気もしくは呼気を排出する逆止弁が設けられていることを特徴とする防護マスク装置。
【請求項２】
顔を覆うための装備が上下のパーツに分割されており、
下側のパーツは鼻と口を覆うマスクで、
上側のパーツは目を中心に顔の上部全体を覆うフェースシールドで、
マスク上面に加圧された空気もしくは呼気を排出する通気口が設けられ、
この通気口はフェースシールド１４の内側に向けて空気を吹き出すように位置決めされていることを特徴とする防護マスク装置。
【請求項３】
フェースシールドは頭に巻き付けたバンドに着脱可能に装着する請求項１または２に記載の防護マスク装置。
【考案の詳細な説明】
【技術分野】
【０００１】
本考案は、特に農薬散布などの作業時に着用するマスクを含む防護マスク装置に関する。
【背景技術】
【０００２】
農薬散布などの作業時に着用する防護装置には、例えば特許文献1〜３等の技術が知られている。
【先行技術文献】
【特許文献】
【０００３】
【特許文献１】実開昭６１−１３０２４７号公報
【特許文献２】特開２００６−２５５０４４号公報
【特許文献３】特許６０１８０７２号公報
【考案の概要】
【考案が解決しようとする課題】
【０００４】
従来は布や不織布などを使ってマスクが製造されていた。しかしながら、マスクをつけて労働をすると、マスクの素材が汗を吸って通気性が無くなることがある。またマスクが鼻や口の周りに密着して呼吸困難になることがある。無理に呼吸をするとマスクと顔の隙間からが息を吸い込むためマスクの機能を失ってしまう。例えば、農薬などを散布する作業にこのようなマスクを使用すると、マスクで防御しているはずの外気を直接吸い込むことになり危険である。
【０００５】
これに対して上記の特許文献に記載されたように、フルフェイス式の完全防御の防毒マスクが知られているが、高価なこと、装備が重く複雑なこと、作業中に暑くなるので、戸外の農作業等には不向きなことといった問題があった。本考案はこうした課題を解決するためになされたものである。
【課題を解決するための手段】
【０００６】
以下の構成はそれぞれ上記の課題を解決するための手段である。
＜構成１＞
顔を覆うための装備が上下のパーツに分割されており、
下側のパーツは鼻と口を覆うマスクで、
上側のパーツは目を中心に顔の上部全体を覆うフェースシールド１４で、
マスクには加圧した空気をフィルターで濾過してマスク内に送り込む電動ファンが連結されており、
マスクのマスク上面には加圧された空気もしくは呼気を排出する逆止弁が設けられていることを特徴とする防護マスク装置。
【０００７】
＜構成２＞
顔を覆うための装備が上下のパーツに分割されており、
下側のパーツは鼻と口を覆うマスクで、
上側のパーツは目を中心に顔の上部全体を覆うフェースシールドで、
マスク上面に加圧された空気もしくは呼気を排出する通気口が設けられ、
この通気口はフェースシールド１４の内側に向けて空気を吹き出すように位置決めされていることを特徴とする防護マスク装置。
【０００８】
＜構成３＞
フェースシールドは頭に巻き付けたバンドに着脱可能に装着する構成１または２に記載の防護マスク装置。
【考案の効果】
【０００９】
＜構成１の効果＞
電動ファンによって強制的に空気をマスク内に送り込むので、仕事をしながらマスクを装着していても息苦しくなることがない。
逆止弁により、呼吸をして息を吸い込んだ時に外気がマスクの中に逆流しない。
＜構成２の効果＞
通気口から排出される風により、フェースシールドの内側は結露せず、内側に農薬などが流れ込まない。放熱効果もある。
＜構成３の効果＞
フェースシールドだけを簡単に交換できる。
【図面の簡単な説明】
【００１０】
【図１】図１（ａ）は実施例１の防護装置の側面図、（ｂ）はその拡大縦断面図である。
【図２】図２（ａ）は実施例２の防護装置を顔に装着した状態の斜視図、（ｂ）はフェースシールド１４の側面図、（ｃ）はマスク１２の側面図である。
【図３】図３はその防護装置の作用を説明するための側面図である。
【考案を実施するための形態】
【００１１】
以下、本考案の実施の形態を実施例毎に詳細に説明する。
【実施例１】
【００１２】
図１（ａ）は実施例１の防護装置の側面図、（ｂ）はその拡大縦断面図である。
【００１３】
マスク１２と電動ファン２６とはホース２４により接続されている。電動ファン２６はコンプレッサのように加圧した空気をホース２４を通じてマスク１２内に送り込むためのものである。
【００１４】
電動ファン２６の下側の空気取入口にはフィルター２８が配置されている。また、ホース２４の内部にもフィルター２８が収められている。フィルター２８は、外気を濾過し殺菌を行ってマスク１２の内部に清浄な空気を送り込むためのものである。
【００１５】
農薬散布などの作業をしていても呼吸が楽にできる程度にマスク１２に加圧した浄化された空気が送り込まれる。図１（ｂ）の矢印のように、空気はマスク１２に流れ込み、逆止弁３２からマスク１２の上方に排出される。逆止弁３２は呼吸をして息を吸い込んだ時に外気がマスク１２の中に逆流しないように設けられたものである。
【００１６】
マスク１２は例えばこの図のように、２本の紐１８によって頭に固定される。マスク１２と顔の間に隙間が生じないように適切に位置合わせをすることが出来る。
【００１７】
透明なプラスチックシートなどで構成されたフェースシールド１４は、目を保護するためのものである。霧状に散布された農薬が付着して視界が悪くなった時には、このフェースシールド１４だけを交換することができる。このために、フェースシールド１４はマスク１２とは別体で、バンド２０によって頭部に固定される。
【００１８】
電動ファン２６はコード３６を通じて電池３０から電力を供給される。電動ファン２６は例えば紐１８により首から吊り下げられる。電池３０は例えばベルトなどに固定するとよい。そして電池３０に取り付けられたスイッチ３４を操作することによって電動ファン２６を起動する。
【実施例２】
【００１９】
図２（ａ）は実施例２の防護装置を顔に装着した状態の斜視図、（ｂ）はフェースシールド１４の側面図、（ｃ）はマスク１２の側面図である。また、図３はその防護装置の作用を説明するための側面図である。
【００２０】
この実施例でも実施例１と同様に顔を覆うための装備を上下のパーツに分割する。下側のパーツは鼻と口を覆うマスク１２である。上側のパーツは目を中心に顔の上部全体を覆うフェースシールド１４である。
【００２１】
（マスク１２）
マスク１２には電動ファン２６により空気を強制的に送り込む。
電動ファン２６はフィルター２８を通して浄化した空気をマスク１２内に送り込む。これは実施例１と同様である。
【００２２】
これによって呼吸が十分に楽になる。さらにマスク１２の内部の空気圧を高めるので、マスク１２と顔の間に隙間があっても外気が流入することがない。また、息を吸ったときも、マスク１２の内部の空気圧が低下しない程度に十分な加圧空気を送り込む。
【００２３】
電動ファン２６とフィルター２８と電池３０とを、マスク１２と別体にして、ホース２４で両者を接続した。電動ファン２６とフィルター２８と電池３０が小型軽量化できれば、マスク１２の側面に全てを一体化してもよい。
【００２４】
マスク１２はその側縁全体が顔に密着するようにし上面に通気口１６を設ける。この通気口１６はフェースシールド１４の内側に向けて空気を吹き出すように位置決めされる。空気圧が十分に高い場合には、さらに通気口１６を増やしても構わない。マスク１２の側縁と顔の密着が緩くても安全が確保できる。マスク１２は実施例１と同様に紐１８により頭部に固定するとよい。
【００２５】
電動ファン２６によって強制的に空気をマスク１２内に送り込むので、仕事をしながらマスク１２を装着していても息苦しくなることがない。
【００２６】
（フェースシールド１４）
フェースシールド１４には実施例１と同様に、透明なプラスチックを使用するとよい。フェースシールド１４は視界を妨げず、散布している有害な薬剤が顔に付着するのを防ぐ。目を確実に保護し、視界が十分に確保され安全性も高い。
【００２７】
フェースシールド１４は、例えば、帽子をかぶってその帽子に取り付けるようにする。頭に巻き付けたバンド２０にフック２２を介して１４を吊り下げるようにすれば、着脱が容易に出来る。これで、簡単にフェースシールド１４を交換することができる。
【００２８】
顔を覆うカバーとマスク１２とを一体化したフルフェイス式のものは横方向の視界が狭くなる。しかも、全体が密閉されているので、内部が曇って視界が悪くなる。
【００２９】
農薬を散布した場合にはフェースシールド１４の表面が汚れやすい。フェースシールド１４を清掃したり交換したりするときに、マスク１２を外す必要がないので作業性が良い。フェースシールド１４だけを複数準備しておけばよく、経済的である。
【００３０】
図２に示すように、マスク１２から矢印の方向に流れ出す空気が、フェースシールド１４の内側を通って矢印のようにその周辺から排出される。フェースシールド１４は周辺を解放し、密閉をしないため、内側を十分に空気が流れて放熱する。従って、熱がこもることがなく。暑い夏でも快適に使用できる。
【００３１】
フェースシールド１４の内側は結露しないし、マスク１２から流れ出す空気がフェースシールド１４の周辺に向かう空気の流れを作るので、フェースシールド１４の内側に農薬などが流れ込まない。
【００３２】
従来、農薬の散布の際に装着するマスク１２は、活性炭をフィルター２８に使用していた。このような従来のマスク１２は、息を吐く時にその一部が逆止弁を押しのけて逆流し、活性炭が水分を含む。これによって活性炭のフィルター２８効果が低下した。そのため、マスク１２を使用した後は活性炭のフィルター２８部分に風を通して乾燥させなければならなかった。
【００３３】
本考案では、活性炭のフィルター２８を通してマスク１２に流入する空気は、電動ファン２６により強制的にマスク１２の方向にのみ流れる。従って、活性炭が吐く息によって水分を含むことはない。
【符号の説明】
【００３４】
１２  マスク
１４  フェースシールド
１６  通気口
１８  紐
２０  バンド
２２  フック
２４  ホース
２６  電動ファン
２８  フィルター
３０  電池
３２  逆止弁
３４  スイッチ
３６  コード
【図１】
0003227751.tif 000003
【図２】
0003227751.tif 000004
【図３】
0003227751.tif 000005